Podtech/llm-jp-corpus-v4-ja_patent huggingface dataset:
(57)【要約】      （修正有）【課題】個人の好みにより携帯電話にあるパネルの模様を変更できる携帯電話パネル用装飾構造を提供する。【解決手段】携帯電話１のパネル１１では表面に透明な窓１２を有する挿入孔が設けてあり、前記挿入孔には一つの固定板２が挿入してあり、前記固定板の上面には多数の貫通孔２２が設けてあり、且つ各貫通孔には装飾ブロック２３がそれぞれ設置してあり、各装飾ブロックの色が同色の組合せあるいは異なる色の組合せであることを特徴とする携帯電話パネル用装飾構造（装飾パネルを備えた携帯電話）である。【選択図】図１
0003109864.tif 000002
【実用新案登録請求の範囲】
【請求項１】
携帯電話のパネルの表面に透明な窓を有する挿入孔が設けてあり、前記挿入孔には一つの固定板が挿入してあり、前記固定板の上面には多数の貫通孔が設けてあり、且つ各貫通孔には装飾ブロックがそれぞれ設置してあり、各装飾ブロックの色は、同色の組合せあるいは異なる色の組合せであることを特徴とする、
携帯電話パネル用装飾構造。
【請求項２】
前記挿入孔の内部には係止孔が設けてあり、前記固定板には係止孔に対応する係止ブロックが設けてあることを特徴とする、請求項１に記載の携帯電話パネル用装飾構造。
【請求項３】
前記固定板にある貫通孔の形状は装飾ブロックの外形に対応することを特徴とする、請求項１に記載の携帯電話パネル用装飾構造。
【請求項４】
装飾ブロックの底部には一つの嵌めピンが設けてあり、且つ前記嵌めピンが固定板にある貫通孔に対応することを特徴とする、請求項１に記載の携帯電話パネル用装飾構造。
【考案の詳細な説明】
【技術分野】
【０００１】
本考案は携帯電話パネル用装飾構造（装飾パネルを備えた携帯電話）に係り、特に個人の好みによりパネルの模様を変更できる携帯電話パネル用装飾構造に関するものである。
【背景技術】
【０００２】
従来、携帯電話のシェルにおいては、出荷した後、その造形および色が変更できなく、シェルやパネルの仕様を変更したい場合には、別の仕様のものを購買することが必要であったり、あるいは、携帯電話を購入するときに若干の付属品が付いてあり、その付属品でシェルやパネルの仕様を変更するが、上記の何れかの方法を採用しても、元のシェルやパネルを取り外して新しいものを取付けることが必要であった。
【考案の開示】
【考案が解決しようとする課題】
【０００３】
しかしながら、シェルやパネルは別に購入し又は付属品として送られるが、上記の何れかの方法を採用しても、メーカは異なる仕様のシェルやパネルを生産することが必要であり、且つ元のシェルやパネルを取り外して新しいものを取付けることが使用者にとって極めて不便であり、なお、使用者が予備品を身の回りに携帯しないと、シェルやパネルを交換することができない。
【課題を解決するための手段】
【０００４】
そこで、上記の課題を解決するため、本考案の第１考案は、携帯電話のパネルの表面に透明な窓を有する挿入孔が設けてあり、前記挿入孔には一つの固定板が挿入してあり、前記固定板の上面には多数の貫通孔が設けてあり、且つ各貫通孔には装飾ブロックがそれぞれ設置してあり、各装飾ブロックの色は、同色の組合せあるいは異なる色の組合せであることを特徴とする携帯電話パネル用装飾構造を提供するものである。
【０００５】
また、本考案の第２考案は、本考案の第１考案に記載の携帯電話パネル用装飾構造において、前記挿入孔の内部には係止孔が設けてあり、前記固定板には係止孔に対応する係止ブロックが設けてあることを特徴とするものである。
【０００６】
また、本考案の第３考案は、本考案の第１考案に記載の携帯電話パネル用装飾構造において、前記固定板にある貫通孔の形状は装飾ブロックの外形に対応することを特徴とするものである。
【０００７】
また、本考案の第４考案は、本考案の第１考案に記載の携帯電話パネル用装飾構造において、装飾ブロックの底部には一つの嵌めピンが設けてあり、且つ前記嵌めピンが固定板にある貫通孔に対応することを特徴とするものである。
【考案の効果】
【０００８】
本考案に係る携帯電話パネル用装飾構造によれば、次のような効果がある。
【０００９】
（１）固定板がパネルにある挿入孔に挿入され、且つ各装飾ブロックが固定板にある貫通孔に係止し固定されるので、装飾ブロックの位置を変更しようとするときには、工具の使用が必要なく、使用者にとって極めて便利である。
【００１０】
（２）本考案は各装飾ブロックを新たに配列することにより模様を変更し、別のものを交換することが必要ないので、使用者は何時でも何処でも変更でき、身の回りに予備品を別に用意することが必要ない。
【考案を実施するための最良の形態】
【００１１】
以下、添付図面を参照して本考案の好適な実施の形態を詳細に説明する。
【実施例】
【００１２】
まず、図１を参照する。本考案に係る携帯電話パネル用装飾構造は、携帯電話１のパネル１１では表面に透明な窓１２を有する挿入孔１３が設けてあり、前記挿入孔１３の内部には係止孔１４が二つに設けてあり、且つ前記挿入孔１３には一つの固定板２が挿入してあり、前記固定板２の一端には係止ブロック２１が二つに設けてあり、前記係止ブロック２１が係止孔１４に挿入され、前記固定板２の上面には多数の貫通孔２２が設けてあり、且つ各貫通孔２２には装飾ブロック２３がそれぞれ設置してあり、各装飾ブロック２３の色は、同色の組合せであってもいいし、異なる色の組合せであってもいい。
【００１３】
これにより、パネル１１での模様を変更しようとするときには、固定板２を挿入孔１３から取り出して各装飾ブロック２３の位置を新たに配列すると、固定板２での模様が変更でき、このとき、前記固定板２を携帯電話にある挿入孔１３に挿入して係止ブロック２１を係止孔１４に係止することにより、固定板２が固定され、そうすると、使用者はパネル１１にある透明な窓１２を透視して装飾ブロック２３を新たに配列して構成された模様を見ることができる。
【００１４】
また、図１に示すように、固定板２にある貫通孔２２の形状が装飾ブロック２３の外形に対応することにより、装飾ブロック２３が貫通孔２２に嵌めて固定することができ、なお、図２と図３に示すのは、装飾ブロック２３の底部には一つの嵌めピン２３１が設けてあり、且つ前記嵌めピン２３１が固定板にある貫通孔に対応し、前記貫通孔２２に嵌めピン２３１を嵌め込むと、装飾ブロック２３が固定板２に固定される。
【図面の簡単な説明】
【００１５】
【図１】本考案に係る実施例１の分解斜視図
【図２】本考案に係る実施例２の分解斜視図
【図３】本考案に係る実施例２の組合状態の断面図
【符号の説明】
【００１６】
１・・・携帯電話
１１・・パネル
１２・・窓
１３・・挿入孔
１４・・係止孔
２・・・固定板
２１・・係止ブロック
２２・・貫通孔
２３・・装飾ブロック
２３１・嵌めピン
【図１】
0003109864.tif 000003
【図２】
0003109864.tif 000004
【図３】
0003109864.tif 000005
(57)【要約】【課題】  通気性を向上せしめ、かつ発汗時温度調節することができるランニング用グラブを供すること【解決手段】  グラブ１の掌部３全面がメッシュ素材からなる。親指のつけ根部７であって甲の部分も線状にメッシュ素材からなる。メッシュ素材は弾力性を有するポリエステルである。メッシュ４の形状は長径を上下方向に形成する楕円形である。これにより、通気性が向上し、また発汗時掌の開閉により温度調節することができる。よって、体温が過度に上昇せず、競技者の運動能力を最大限に発揮させることができる。【選択図】        図１
0003109881.tif 000002
【実用新案登録請求の範囲】
【請求項１】
グラブの掌部全面がメッシュ素材からなることを特徴とするランニング用グラブ。
【請求項２】
請求項１記載のランニング用グラブにおいて、親指のつけ根部であって甲の部分も線状にメッシュ素材からなることを特徴とするランニング用グラブ。
【請求項３】
請求項１又は請求項２記載のランニング用グラブにおいて、上記メッシュ素材がポリエステルからなることを特徴とするランニング用グラブ。
【請求項４】
請求項１記載のランニング用グラブにおいて、上記メッシュ素材のメッシュの形状が長径を上下方向に形成する楕円形であることを特徴とするランニング用グラブ。
【請求項５】
請求項４記載のランニング用グラブにおいて、上記メッシュの大きさが短径・長径比１／３であることを特徴とするランニング用グラブ。
【請求項６】
請求項１記載のランニング用グラブにおいて、上記メッシュ素材が弾力性を有することを特徴とするランニング用グラブ。
【考案の詳細な説明】
【技術分野】
【０００１】
本願考案は、運動用具に関し、更に詳しくはランニング用グラブに関する。
【背景技術】
【０００２】
マラソン等のランニング競技においては、競技中発汗するのでこれを適宜に調節しないと競技結果に影響を及ぼすことになりかねない。一方、低温時等のランニングにおいてグラブの着用は保温のため欠かせない。
【０００３】
しかしながら、従来のランニング用グラブは手全体を覆っていたので、発汗時の通気性に欠けていた。
【考案の開示】
【考案が解決しようとする課題】
【０００４】
本願考案は上記背景に鑑み、通気性を向上せしめ、かつ発汗時の温度調節をすることができるランニング用グラブを供することを目的とする。
【課題を解決するための手段】
【０００５】
上記目的達成のため、本願考案によるランニング用グラブは、グラブの掌の部分全面がメッシュ素材からなることを特徴とする。
また、請求項１記載のランニング用グラブにおいて、親指のつけ根部であって甲の部分も線状にメッシュ素材からなることを特徴とする。
また、請求項１又は請求項２記載のランニング用グラブにおいて、上記メッシュ素材がポリエステルからなることを特徴とする。
また、請求項１記載のランニング用グラブにおいて、上記メッシュ素材のメッシュの形状が長径を上下方向に形成する楕円形であることを特徴とする。
また、請求項４記載のランニング用グラブにおいて、上記メッシュの大きさが短径・長径比１／３であることを特徴とする。
また、請求項１記載のランニング用グラブにおいて、上記メッシュ素材が弾力性を有することを特徴とする。
【考案の効果】
【０００６】
本願考案によるランニング用グラブにおいては、手の発汗帯である掌部全面がメッシュ素材からなるため、通気性が向上する。また、発汗時掌の開閉により温度調節することができるので、体温が過度に上昇せず、競技者の運動能力を最大限に発揮させることができる。
【考案を実施するための最良の形態】
【０００７】
次に、実施の形態を示す図面に基づき本願考案によるランニング用グラブをさらに詳しく説明する。なお、便宜上同一の機能を奏する部分には同一の符号を付してその説明を省略する。
【０００８】
グラブ１は、手首から先の握った時に内側になる面である掌部３が指部３ａ〜３ｅを含めて全面的にメッシュ素材からなる。手首から先の外側の面である甲部５は、親指部３ａのつけ根の付近（つけ根部７）を除き、略通気性のない閉塞素材からなる。上記つけ根部７の甲の部分は線状にメッシュ素材からなる。上記メッシュ素材及び閉塞素材はいずれも、本例の場合弾力性のあるポリエステルである。上記メッシュ素材のメッシュ４の形状は長径ａを上下方向に形成する楕円形とする。該メッシュ４の大きさは短径・長径比約１／３である。本実施例ではメッシュ４の大きさが短径約０．５ｍｍ、長径約１．５ｍｍである。
【０００９】
本願考案によるランニング用グラブは掌部３の全面がメッシュ素材からなるため、通気性が向上し、発汗時掌の開閉により温度調節をすることができる。
【００１０】
また、つけ根部７の甲の部分も線状にメッシュ素材からなるため、体温調節機能を損なわずに、通気性の向上を図ることができる。この点につき、親指は他の指とは異なり、可動方向が異なること及び可動範囲即ち運動量が大なるため、つけ根部７の甲の部分をメッシュ素材から構成すれば、甲の部分の保温性を損なわずに体温調節機能を維持することができるのである。
【００１１】
このように手の発汗帯である掌部の通気性が向上し、また発汗時掌の開閉により温度調節することができるので、体温が過度に上昇せず、競技者の運動能力を最大限に発揮させることができる。さらに発汗時不快なときもグラブを外す必要がなくなるので、ランニング競技に集中することができる。ランニングは優れてメンタルな競技のため、この競技に集中することができるという効果は重大である。
【００１２】
メッシュ４の形状が長径ａを上下方向に形成する楕円形としてあるから、メッシュ孔がランニングの手の握り方向に沿っており、通気効果が一層良好となる。
【００１３】
グラブ１の掌部３は弾力性のあるメッシュ素材からなるため、良く手になじみ、神経過敏となることが多い競技中においてもランニングに集中することができる。
【００１４】
本願考案は上記した実施の形態に限定されない。例えばメッシュ素材はポリエステル以外の素材を用いることができる。またメッシュ素材のメッシュの大きさも適宜に変更可能である。さらにつけ根部７の線状の形状は任意である。
【産業上の利用可能性】
【００１５】
本願考案はランニング競技の運動用具として活用することができる
【図面の簡単な説明】
【００１６】
【図１】（Ａ）は本願考案によるランニング用グラブの実施の形態を示した正面図、（Ｂ）は（Ａ）のＢ部分の拡大図である。
【図２】図１の背面図である。
【符号の説明】
【００１７】
１      グラブ
３      掌部
３ａ    親指部
３ｂ    子指
３ｃ    子指
３ｄ    子指
３ｆ    子指
３ｅ    子指
４      メッシュ
５      甲部
７      つけ根部
【図１】
0003109881.tif 000003
【図２】
0003109881.tif 000004
(57)【要約】      （修正有）【課題】故人（ペットを含む）のゆかりの物品等を位牌を構成する札板或いは受台等に埋め込み、これにより、より一層亡くなった者を偲び易くし、オリジナルの位牌を求める消費者の要求に応える。【解決手段】札板１ａ或いは受台５に故人を偲ぶことができる守護石２Ｂ、誕生石、指輪２Ａ等の鉱物物品を露出して埋め込んだことを特徴とする位牌１。【選択図】図１
0003109814.tif 000002
【実用新案登録請求の範囲】
【請求項１】
札板或いは受台に故人を偲ぶことができる鉱物物品を露出して埋め込んだことを特徴とする位牌。
【請求項２】
故人を偲ぶことができる鉱物物品が、守護石である請求項１記載の位牌。
【請求項３】
故人を偲ぶことができる鉱物物品が、誕生石である請求項１記載の位牌。
【請求項４】
故人を偲ぶことができる鉱物物品が、指輪等の装身具である請求項１記載の位牌。
【考案の詳細な説明】
【技術分野】
【０００１】
本考案は新たな価値を有する位牌に関するものである。
【背景技術】
【０００２】
従来の位牌は、これを構成する札板や受台に故人の俗名・戒名・命日等を書いたり、刻印したりしていた。しかしながら、この方法ではその位牌が誰のものであるかが判別できるだけで、故人を思い出しその人を偲ぶことが難しい。
【０００３】
近年、位牌の札板や受台等に故人の写真を貼ることによって故人を偲ぼうとする提案がなされてはいる（特許文献１〜２）が、写真は所詮は紙類であり、いずれは変色したり老化によりぼろぼろとなることは必定である。このため、写真紙の表面を透明板にて塞ぐような工夫を凝らさなければ長年月には耐えられなかった。
【０００４】
【特許文献１】実開平０３−０２７７８０号公報
【０００５】
【特許文献２】特開平１０−１１３２７７号公報
【０００６】
更に、現在ではペットを飼育することが広く行われているところ、これが死亡した際にはペットの墓を作ることが行われており、ペット独自の位牌を求める人も多い。
【考案の開示】
【考案が解決しようとする課題】
【０００７】
本考案の課題は、故人（ペットを含む）のゆかりの物品等を位牌を構成する札板或いは受台等に埋め込み、これにより、より一層亡くなった者を偲び易くし、オリジナルの位牌を求める消費者の要求に応えることを目的とするものである。
【課題を解決するための手段】
【０００８】
本考案の要旨は、札板或いは受台に故人を偲ぶことができる鉱物物品を露出して埋め込んだことを特徴とする位牌にかかるものであり、鉱物物品が故人の守護石であり、或いは誕生石であり、更には、故人愛用の指輪等の装身具等である。
【考案の効果】
【０００９】
本考案によれば、位牌に故人を偲ぶ物品が嵌め込まれているため、故人を思い出し、偲ぶことが格段に容易になる。また、非常にオリジナリティに富んだ位牌になるため、従来の位牌と比べると、位牌としての価値が向上することとなる。
【考案を実施するための最良の形態】
【００１０】
本考案は位牌にわずかな工夫を凝らすだけで位牌の価値が向上し、オリジナリティのあるものとなったものであり、故人の誕生石、故人をお守りする守護石等は勿論、生前に使用していた指輪等の身装品、更には他の愛用品も適用可能である。一般には、位牌は既製品を用いてもよく、その所望の箇所に小さな窪みを設け、ここに当該物品を埋め込んでなるのがよい。
【００１１】
本考案で言う位牌とは、位牌を構成する札板や受台等の構成物を言い、これらのいずれかに鉱物物品を埋め込んだものである。位牌の構成物の種類は限定されないことは勿論であり、木製、樹脂製、その他の材料で構成されている。又、位牌の構成物中に埋め込むとは、当該構成物に窪みを形成し、ここに鉱物物品を直接埋め込んでもよいが、予め鉱物物品の周囲を嵌め込み易いように例えば樹脂等の接着剤にて固め、これを埋め込んだり嵌め込んだりすることも含まれる。
【００１２】
特に、位牌に埋め込むものが故人を偲ぶ鉱物物品であり、写真等の紙類等とは異なり鉱物物品は耐久性があり、長い年月に耐え得るものである。かかる鉱物物品としては故人を偲ぶものであればよく、例えば、誕生石であり、守護石であり、或いは故人にゆかりのある愛用品や指輪等の装身具である。
【実施例】
【００１３】
以下、図面をもって本考案を更に詳細に説明する。
図１は位牌１の札板１ａの正面上部に指輪２Ａを埋め込んだ第１実施例であり、図２はその主要部の断面図である。位牌１の札板１ａは既存の樹脂製品であって、これに小さな窪み３を形成する。次いで、指輪２Ａを所望の方向に向け、この例では指輪２Ａの正面を札板１ａより露出させ、その周囲を樹脂４をもって埋め合わせたものである。
【００１４】
図３は位牌の受台５の中央に守護石２Ｂを埋め込んだ第２実施例であり、その主要部の断面図である。受台５はこれまた既製品であって、中央に小さな窪み３を形成する。次いで、守護石２Ｂの正面を上向きにして大部分を露出させ、その周囲を樹脂４にて埋め合わせたものである。
【産業上の利用可能性】
【００１５】
本考案は以上の通りであり、新たな位牌を提供するものであって、世人の要請を満足するものであり、人における位牌は勿論のこと、ペットの位牌にあっても利用可能でありその用途は広い。
【図面の簡単な説明】
【００１６】
【図１】図１は位牌の正面に指輪を埋め込んだ第１実施例である。
【図２】図２は図１の主要部の断面図である。
【図３】図３は位牌の正面に守護石を埋め込んだ第２実施例の主要部の断面図である。
【符号の説明】
【００１７】
１‥位牌、
１ａ‥札板、
２Ａ‥指輪、
２Ｂ‥守護石、
３‥窪み、
４‥樹脂、
５‥受台。
【図１】
0003109814.tif 000003
【図２】
0003109814.tif 000004
【図３】
0003109814.tif 000005
(57)【要約】      （修正有）【課題】軽く、場所を選ばずに手軽に飾ることができ、汚れにも強く、さらに保管場所にも困らず、絵を取り替えることによりその時の気分、季節、状況で簡単に部屋の雰囲気を変えることができ、気軽に絵に触れ心を癒す事ができる観賞用置物の提供。  【解決手段】葉書サイズより小さめの絵カードをラミネート加工し、４隅に孔を設ける。この方法に依って、絵カードを複数枚まとめて孔にピンで差すことができ、同時に保管も可能になる。絵に傷をつけることなく手軽に飾ることもできる。又、ラミネート加工しているため汚れに強く、長期保存が可能になる。【選択図】図２
0003109819.tif 000002
【実用新案登録請求の範囲】
【請求項１】
ラミネート加工した絵カードの４隅に孔を設けた観賞用置物
【考案の詳細な説明】
【技術分野】
【０００１】
本考案は、ラミネート加工した絵カードの４隅に孔を設ける方法をとったものである。
【背景技術】
【０００２】
従来の絵はがき、絵カードセットは飾る際、そのもの自体に直接ピンで穴をあけたり、汚れなどにより長期間の掲示は困難であった。又、額を使う場合、１枚しか飾ることができないため、残りのカードは別の場所に保管しておく必要があり、絵の取り替えが手間であった。
【考案の開示】
【考案が解決しようとする課題】
【０００３】
本考案は、従来の技術で述べた問題点を、絵自体の保護を考え、絵カードセットと額を一体化する事により解決できるものと考える。
【課題を解決するための手段】
【０００４】
本考案は、ラミネート加工する事により、絵の保護をしながら、額を必要とせず手軽に飾れるようにする。さらに孔を設ける事により、数枚まとめて飾れ、前述の欠点を解消しようとするものである。
【考案の効果】
【０００５】
本考案の効果として、次のことが挙げられる。
・額がないので軽く、場所を選ばず手軽に飾ることができる。又、汚れにも強く、さらに保管場所にも困らない。
・絵を取り替えることによりその時の気分、季節、状況で簡単に部屋の雰囲気を変えることができる。
・日々忙しく生活を送る中で、気軽に絵に触れ心を癒す事ができる。
【考案を実施するための最良の形態】
【０００６】
ラミネートフィルムに３絵画を挟み、熱を加え（１ラミネート加工部）４絵カードを構成し、４隅に２孔（ａ、ｂ、ｃ、ｄ） を設けた。複数枚まとめて、４隅の孔にピンを差し込み飾る。絵葉書サイズでラミネート加工により汚れにくいので、場所を選ばずさりげなく飾る事ができる。絵カードの取り替えも簡単で、気分や季節などに応じて手軽に絵を交換できる。又、複数枚まとめて飾る事ができるため、保管場所にも困らない。
【実施例】
【０００７】
本考案の実施例は、複数枚の絵カードの中から、選んだ絵カードを一番手前にし、複数枚重ねる（残りの絵カードは後ろで保管している事になる）。壁等に飾る場合、あらかじめあけている４隅の孔にピンで固定。立てかけて飾る場合は、そのまま重ねて置く。
【図面の簡単な説明】
【０００８】
【図１】本考案に依る観賞用置物の実施例を示す正面図である。
【図２】本考案に依る観賞用置物の実施例を示す斜視図である。
【符号の説明】
【０００９】
１ ラミネート加工部
２ 孔    ａ、ｂ、ｃ、ｄ 
３ 絵画
４ 絵カード
【図１】
0003109819.tif 000003
【図２】
0003109819.tif 000004
(57)【要約】      （修正有）【課題】フレキシブル性を損なうことなく形状の保持力を付与した可撓性フレキホースを提供する。【解決手段】舌状の側片２を、他方側に割溝３を形成した側片４を有する帯状の筒体部材１を螺旋状に巻回し、舌状の側片２を隣接する筒体部材の側片４の割溝３に嵌着させて形成した可撓性筒体６であって、その舌状の側片２の両面に複数のリブ３を設けて、嵌着させる相手側の割溝３内面と舌状側片２に設けたリブ３の当接箇所を増やして、摩擦抵抗を増大しフレキホースの自重による垂れ下がりを防ぐ。【選択図】図１
0003109388.tif 000002
【実用新案登録請求の範囲】
【請求項１】
可撓性筒体が、一方側に舌状の側片を、他方側に割溝を形成した側片を有する帯状の筒体部材を螺旋状に巻回し、前記舌状の側片を隣接する筒体部材の側片の割溝に嵌着させて形成した筒体であって、舌状の側片の両面に複数のリブを有することを特徴とする可撓性フレキホース。
【考案の詳細な説明】
【技術分野】
【０００１】
本考案は、可撓性を有しながら形状の自己保持力を持つ可撓性フレキホースの技術に関するものである。
【背景技術】
【０００２】
可撓性フレキホースは、自由に曲げたり、長さを伸ばしたりすることができ、また曲げたままの形状を容易に保持することができるので、工事の容易さ、配管の容易さの特徴を生かして冷暖房、給排気送風、機械エアー冷却、機械集排塵、粉体・流体輸送、スポットクーラーのダクトとして用いられている。
【０００３】
しかし、可撓性フレキホースを水平方向に長く伸ばした場合、その自重により下方に垂れ下がることが起こり、伸ばす距離に限界があった。
【特許文献１】登録実用新案第３０３９４４４号公報
【考案の開示】
【考案が解決しようとする課題】
【０００４】
解決しようとする問題点は、可撓性フレキホースを水平方向に長く伸ばした場合、その自重により下方に垂れ下がることをふせぎ、形状の保持力を高めることにある。
【課題を解決するための手段】
【０００５】
本考案は、可撓性フレキホースが、一方側に舌状の側片を、他方側に割溝を形成した側片を有する帯状の筒体部材を螺旋状に巻回し、前記舌状の側片を隣接する筒体部材の側片の割溝に嵌着させて形成した筒体であって、その舌状の側片の両面に複数のリブを設けて、嵌着させる相手側の割溝内面と舌状側片に設けたリブの当接箇所を増やして、摩擦抵抗を増大しフレキホースの自重による垂れ下がりを防ぐ。
【０００６】
従来の可撓性フレキホースは、嵌着させている舌状の側片と割溝との当接箇所は舌状の側片の先端部のみであった。
【考案の効果】
【０００７】
本考案の可撓性フレキホースは、水平方向に伸ばしたり曲げたりした場合その形状の保持力が大きく、水平方向の繰り出した距離が長い場合に可撓性フレキホースの自重や何等かの外力が加わった場合にも垂れ下がりの変形を起こしにくくする利点がある。
【考案を実施するための最良の形態】
【０００８】
可撓性フレキホースを形成する帯状の筒体部材において、その筒体部材の舌状の側片両面に複数のリブを設ける。そのリブの高さは、舌状の側片を割溝に嵌着させる時に、可撓性フレキホースのフレキシブル性を損なわない高さとする。
【実施例】
【０００９】
その実施例について、一部を断面で示した可撓性フレキホースの模式図を表す図１を参照して詳述する。
【００１０】
図１において、１は一方向に舌状の側片２を有し、他方側に割溝３を形成した側片４を有するポリプロピレン樹脂からなる帯状の筒体部材、５は舌状の側片２の両面に設けられた複数のリブ、６は帯状の筒体部材１を螺旋状に巻回し、舌状の側片２を、隣接する筒体部材１における側片４の割溝３に嵌着させることにより形成した可撓性筒体である。
【００１１】
なお、筒体部材１は、押出成形により作成したので、リブ３も成形と同時に形成され、リブ３の高さは舌状の側片２が割溝３に嵌着させた可撓性筒体６のフレキシブル性が損なわれない高さとした。
【００１２】
嵌着された可撓性筒体６は、フレキシブル性が損なわれなく、同時に水平方向に長く伸ばしたり曲げたりしても、形状の保持力を大きく有するものとなった。
【産業上の利用可能性】
【００１３】
フレキシブル性を持つ可撓性フレキホースにおいて、そのフレキシブル性を損なうことなく、水平方向に伸ばしたり曲げたりしても、形状の保持力の高い可撓性フレキホースの提供ができる。
【図面の簡単な説明】
【００１４】
【図１】本考案の実施例における可撓性フレキホースの一部を断面で示した模式図
【符号の説明】
【００１５】
１    筒体部材
２，４    側片
３    割溝
５    リブ
６    可撓性筒体
【図１】
0003109388.tif 000003
(57)【要約】【課題】  製造が容易であり、冊子への取り付けも容易であり、冊子に多くのしおりを付加できるようにすること。【解決手段】  幅方向に並べた複数の紐材１と、この複数の紐材１の一端部に設けられ当該複数の紐材１を面上に束ねる結束部材２と、この結束部材２の外面に設けられた接着材３とを備えたこと。【選択図】  図１
0003109385.tif 000002
【実用新案登録請求の範囲】
【請求項１】
幅方向に並べた複数の紐材と、この複数の紐材の一端部に設けられ当該複数の紐材を面上に束ねる結束部材と、この結束部材の外面に設けられた接着材とを備えたことを特徴とする、しおり。
【考案の詳細な説明】
【技術分野】
【０００１】
本考案は、しおりに係り、特に、カタログ等の冊子に後から付けして使用できるしおりに関する。
【背景技術】
【０００２】
この種の従来例としては、環状の伸縮物に小片を介して紐材を取り付け、当該環状の伸縮物の中に、書籍の表紙と裏表紙を除いたすべてのページを入れ、これを奥まで入れることで、書籍に固定するものがあった（特許文献１）。
【０００３】
しかしながら、上記従来例にあっては、紐材の取り付けにあたり、小片の穴に紐材を一本ずつ取り付けなければならず、製造上の手間があった。
【特許文献１】特開２００４−１３４０号公報
【考案の開示】
【考案が解決しようとする課題】
【０００４】
本考案は、かかる従来例の有する不都合を改善し、特に、製造が容易であり、冊子への取り付けも容易であり、冊子に多くのしおりを付加することのできるしおりを提供することを課題とする。
【課題を解決するための手段】
【０００５】
上記課題を解決するため、本考案では、幅方向に並べた複数の紐材と、この複数の紐材の一端部に設けられ当該複数の紐材を面上に束ねる結束部材と、この結束部材の外面に設けられた接着材とを備えた、という構成を採っている。
【考案の効果】
【０００６】
これによると、幅方向に並べた複数の紐材を、結束部材により面上に束ねることにより、複数の紐材を一度に束ねることができ、複数の紐材の固定を容易に行うことができる。
【考案を実施するための最良の形態】
【０００７】
以下、本考案の一実施形態を図面を参照しつつ説明する。
【０００８】
本実施形態によるしおりは、図１に示すように、幅方向に並べた複数の紐材１と、この複数の紐材１の一端部に設けられ当該複数の紐材１を面上に束ねる結束部材２と、この結束部材２の外面に設けられた接着材３とを備えている。
【０００９】
これを更に詳述すると、本実施形態において、複数の紐材１は、それぞれ色付きのリボン素材で形成され、６本設けており、それぞれ、オレンジ、紫、緑、ピンク、黄、青、の各色に色分けされている。結束部材２は、厚紙を折って、折った厚紙の間に複数の紐材１を挟み、接着してある。接着材３は、両面テープである。各紐材１は、長さが約３０ｃｍ、幅は約４ｍｍに設定してある。また、折り曲げた結束部材のサイズは、長手方向が約２２ｍｍ、短手方向が約１６ｍｍ、折り曲げた厚みが約１．５ｍｍである。接着材３としての両面テープは、折り曲げた結束部材のサイズとほぼ同一で、結束部材２の一面を覆っている。
【００１０】
図２は、本実施形態によるしおりの使用方法を示している。接着材３である両面テープのシールを剥がし、冊子Ｂの背表紙の端部に貼り付ける。このとき、紐材１が背表紙の長手方向の延長線上に向く方向にする。後は、各紐材１を冊子Ｂの任意のページ間に挟んで、しおりとして使用する。
【００１１】
ここで、本考案は、上記実施形態の構成に限定されるものではない。紐材の材質、色、本数及びサイズは、適宜設定すればよい。結束部材の材質及びサイズも適宜決めることができる。接着材の種類及びサイズも適宜定めることができる。紐材の並べ方は、一部重なる並べ方でもよい。
【産業上の利用可能性】
【００１２】
例えば、商品カタログの付属品として、本考案のしおりをビニール包装し、配布用の商品カタログに添付する。
【図面の簡単な説明】
【００１３】
【図１】本考案の一実施形態を示す構成図であり、図１（ａ）は正面図、図２（ｂ）は右側面図を示す。
【図２】図１に示すしおりの使用状態図である。
【符号の説明】
【００１４】
１  紐材
２  結束部材
３  接着材
Ｂ  冊子
【図１】
0003109385.tif 000003
【図２】
0003109385.tif 000004
(57)【要約】【課題】  本考案は、ネジなどで固定出来ない車両の天井や側壁の内張ボードに簡単にしっかりとカーテンレールとフックを取付け出来る取付具を提供する。【解決手段】  取付具１０に配設した少なくとも２本以上のＬ形の鋲１３がボードを対向するように貫通してボードの裏側に引っ掛かることで、取付具１０がボードにしっかりと固定される。その取付具１０にカーテンレールとフックを取付けるカバー２０を取付ける事でカーテンレールとフックを確実にボードに固定できる。【選択図】  図３
0003109387.tif 000002
【実用新案登録請求の範囲】
【請求項１】
カーテンレールとフックを取付ける為の取付具１０で、ベース枠１１の一部を支軸１４とするＬ形の鋲１３を有するプレート１２を対向する様に少なくとも２個以上ベース枠１１に配置し、Ｌ形の鋲１３が支軸１４に添って天井や側壁のボードをほぼ同一軌跡で貫通して回転する事により、Ｌ形の鋲１３が天井や側壁のボードを挟み込んで固定する事を特徴ととするカーテンレールとフックの取付具。
【請求項２】
上記取付具１０において、カーテンレールやフックを取付けるガイド２０Ａを有するカバー２０をスライドＳＴ１して取付具１０に固定出来る様にベース枠１１に凹み部２０Ｂを設け、カバー２０に凸起部２０Ａを設けることでカバー２０がプレート１２を押さえて固定する事を特徴とする請求項目１に記載したカーテンレールとフックの取付具。
【考案の詳細な説明】
【考案の詳細な説明】
【技術分野】
【０００１】    本考案は、車両用カーテンレールとフックの取付け具に関する。
【背景技術】
【０００２】    従来、車両用の後付けカーテンレールとフックの取付は、天井や側壁のボードや窓枠へ、両面テープやマジックテープなどにより取り付けられていた。特に表面がファブリックなどの材質の場合取付ける事が出来なかった。
【考案が解決しようとする課題】
【０００３】    上記従来のカーテンレールの取付けにおいては、取付け強度が弱く使用中外れたり、取り外し後接着痕が残るなどの問題があった。
【０００４】  本考案は、このような従来の問題を解決しようとするもので、カーテンレールとフックを簡単にしっかりと取付けできる取付具を提供する事が出来る。
【課題を解決するための手段】
【０００５】  本考案は、天井や側壁のボードを取付具の少なくとも２本以上のＬ形の鋲が対向するよう貫通して挟み込み、取付具とボードが鋲の引っ掛かる強度で保持され取付具のカバーにカーテンレールとフックを固定する事で上記の課題を解決するものである。
【実施例】
【０００６】  図１に示すように、本考案のカーテンレールとフックの取付具１０には、ベース枠１１の一部を支軸１４とするＬ形の鋲１３を有するプレート１２が対向するように２枚配置されている。【０００７】  図２に示すように、プレート１２をレバー部１２Ａを押して支軸１４に添ってベース枠１１とプレート１２が同一面となるように回転させる事でＬ形の鋲１３の先端部が対向してボードを挟み込む状態になる。【０００８】  図３に示すように、取付具１０を覆うカバー２０をスライドＳＴ１して取付ける。また、カバー２０に設けた２本のガイド部２０Ａの間にカーテンレール３０を両面テープなどで固定ＳＴ２する。【０００９】  図４は取付具１０にカバー２０を取付けた状態であるが、図５に示すようにベース枠１１の左右にある凹み部１１Ａにカバー２０の左右にある凸起部２０Ｂがはまり、カバー２０が取付具１０の上面を覆うように固定される。【００１０】  図６に示すようにカバー２０に設けた２本のガイド部２０Ａの間にフック３１を両面テープなどで固定ＳＴ３する。【００１１】  図７は車両にカーテンレール（３０）とフック（３１）を取付けた状態であって、室内側のボードの適当な位置に取付け具１０を取付けてカバー２０をはめ、カーテンレール３０とフック３１を所定のカバー２０に取付けることで各ボードにしっかりと固定される。
【考案の効果】
【００１２】  以上のように、請求項１記載の考案によれば、車両のような外板パネルの内側を覆う室内側の薄いボードに簡単にしっかりと取り付ける事が出来る取付具により、後付けでカーテンレールとフックをボードの表面材に左右される事無く自由な位置に取付けする事が出来る。また、請求項２記載の考案によれば、取付具にカバーをはめる事でカーテンレールとフックをカバーに設けたガイドにより確実に固定できると同時に、カバーが取付具のボードへの取付を解除出来ないように覆う事でボードに確実に固定できる。
【図面の簡単な説明】
【図１】本考案に係わるボードへの取付具の取付前の斜視図である。
【図２】本考案に係わるボードへの取付具の取付後の斜視図である
【図３】本考案に係わるカーテンレール取付部の配設を示す斜視図である。
【図４】本考案に係わる取付具にカバーを配設した状態の斜視図である。
【図５】本考案に係わる取付具にカバーを配設した状態の断面図である。
【図６】本考案に係わるフック取付の配設を示す斜視図である
【図７】本考案に係わる車両へのカーテンレールとフックの好適な実施例を示す全体図である。
【符号の説明】
１０・・・取付具
１１・・・ベース枠
１２・・・プレート
１３・・・Ｌ形の鋲
【図１】
0003109387.tif 000003
【図２】
0003109387.tif 000004
【図３】
0003109387.tif 000005
【図４】
0003109387.tif 000006
【図５】
0003109387.tif 000007
【図６】
0003109387.tif 000008
【図７】
0003109387.tif 000009
(57)【要約】      （修正有）【課題】洗濯済色物衣類を色落ちの心配をせずに、太陽光線の影響を受ける場所でも乾せるようにする。【解決手段】紫外線遮蔽効果のある布でカバーを作り、その中に洗濯済色物衣類を入れて乾すようにした。【選択図】図１
0003109318.tif 000002
【実用新案登録請求の範囲】
【請求項１】
洗濯済色物衣類を太陽光線の影響を受ける場所に乾しても衣類の色落ちがしにくい、紫外線遮蔽効果のある洗濯衣類乾燥用色落ち防止布カバー。
【考案の詳細な説明】
【考案の開示】
［考案が解決しようとする課題］
【０００１】従来、洗濯済み色物衣類を太陽光線の影響を受ける場所に乾すと、次第に色落ちするという問題点を有していた。
［課題を解決する為の手段］
【０００２】上記問題点を克服するために、色落ちの原因である太陽光線中の紫外線を遮蔽する効果のある布でカバーを作り、その中に洗濯済色物衣類を入れて乾すようにした。
［考案の効果］
【０００３】洗濯済色物衣類を紫外線遮蔽効果のある布カバーに入れて乾した時は、太陽光線の影響を受ける場所に乾しても、衣類の色落ち度合いは格段に低下した。
【図面の簡単な説明】
【０００４】［図１］洗濯衣類乾燥用色落ち防止布カバーの正面と背面の形状図である。
［図２］洗濯衣類乾燥用色落ち防止布カバーの上面から見た形状図である。
［図３］洗濯衣類乾燥用色落ち防止布カバーの下面から見た形状図である。
［図４］洗濯衣類乾燥用色落ち防止布カバーの側面から見た形状図である。
［図５］洗濯衣類乾燥用色落ち防止布カバーの中に洗濯済み衣類を下げた時の側面断面図である。
【符号の説明】
【０００５】１  洗濯衣類乾燥用色落ち防止布カバー
２  衣類ハンガー用通し穴
３  縫い目
４  衣類ハンガー
５  洗濯済み衣類
【図１】
0003109318.tif 000003
【図２】
0003109318.tif 000004
【図３】
0003109318.tif 000005
【図４】
0003109318.tif 000006
【図５】
0003109318.tif 000007
【手続補正書】
【提出日】平成16年12月1日(2004.12.1)
【手続補正１】
【補正対象書類名】実用新案登録請求の範囲
【補正対象項目名】全文
【補正方法】変更
【補正の内容】
【実用新案登録請求の範囲】
【請求項１】
ハンガーに掛けた衣類を覆う袋状の紫外線遮蔽効果のある布で作ったカバーであり、ハンガーに掛けた洗濯済み衣類をカバーの中に入れて乾すことができるように、カバーの上部にハンガー用の穴を開けた洗濯衣類乾燥用色落ち防止布カバー
(57)【要約】      （修正有）【課題】ＬＥＤ・その他高輝度光源を利用し、回転灯の呼吸作用（機械的に回すことによる呼吸的点滅）に加え、飛び火効果（反射鏡の長さ方向に対する互い違い反射）を付加することによって、さらに効果的に視感覚へのアプローチを高めることが出来る回転灯を提供する。【解決手段】ＬＥＤなど高輝度光源を用い、半円状の筒型反射鏡を１／２づつ互い違いに反射させることによって、光源の光りが飛び火するように見える構造とした回転灯。【選択図】図２
0003109314.tif 000002
【実用新案登録請求の範囲】
【請求項１】
ＬＥＤ等発光体を透明ガラス管・透明樹脂管に収容し、これに沿って半円状の筒型反射鏡を同心円上に取り付け、これを回すことによって、呼吸作用的な明暗の揺らぎを伴った光源の点滅を演出できる回転灯。
【請求項２】
ＬＥＤ等発光体［請求項１］の半円状筒型反射鏡を長さ方向に１／２づつ互い違いに反射させ、所謂光りが互い違いに飛び火するように見える構造とした回転灯。
【考案の詳細な説明】
【発明の詳細な説明】
この発明は、パトロールカー始め、広告灯・工事警戒灯などに多用されている「電球光源の回転灯」に対し、主としてＬＥＤ光源１を用いた広告灯（ネオンサイン・呼び込み看板）工事警戒灯などに使用する「飛び火効果機能付き高輝度回転灯」に関するものである。
従来型の球光源回転灯は、本来その形状から独立架台を要し、工事現場などに設置しずらいきらいがあった。また、広告看板トップサイン（看板上部に取り付ける回転灯）としても不向きな面があった。
本案は、図ー１・図ー２に示すように従来型に比し、長方形であり、看板・工事標識・ビル壁面などに調和しやすい形状であると共に光源１の輝度も高く加えて反射鏡２の互い違い構造による「飛び火効果」によって視感覚へのアプローチが格段に高まる効果を有する。
さらに反射鏡２は、内面を半円形の鏡張りとし、光源からの光束を効率よく反射させる機能を保持させる。    また、ギアモーター３・軸受け４は、回転灯の駆動装置である。
【図面の簡単な説明】    ［図１］  飛び火効果機能付き高輝度回転灯の平面図である。
「図２］  同    上  正面図である。
［図３］  同    上  側面図である。
【符号の説明】
１は、飛び火効果機能付き高輝度回転灯の光源である。
２は、半円形筒型反射鏡。
３は、反射鏡回転原動機ギアモーターである。
４は、反射鏡回転軸受けである。
【図１】
0003109314.tif 000003
【図２】
0003109314.tif 000004
【手続補正書】
【提出日】平成16年11月26日(2004.11.26)
【手続補正１】
【補正対象書類名】実用新案登録請求の範囲
【補正対象項目名】請求項２
【補正方法】変更
【補正の内容】
【請求項２】
請求項１記載の回転灯において、半円状の筒型反射鏡を長さ方向に１／２づつ互い違いに取り付けたことを特徴とする回転灯。」
【手続補正２】
【補正対象書類名】明細書
【補正対象項目名】全文
【補正方法】変更
【補正の内容】
【考案の詳細な説明】
【技術分野】
【０００１】  本考案は、ＬＥＤ等発光体を光源とする高輝度回転灯に関する。
【背景技術】
【０００２】  フィラメント電球を光源とし、これを囲む反射鏡を一定速度で回転させ、光りを緩急的（呼吸作用的）に反射させる事により、遠方から注意喚起を促すいわゆる回転灯は、広く知られている。
【考案の開示】
【考案が解決しようとする課題】
【０００３】  しかしながら、赤色の多連回転灯を搭載する緊急用車両等は別として、広告看板・工事標示板などに取り付ける多色回転灯類は昼間帯においては、今一つ迫力に欠ける点は否めないのが、実情である。
【課題を解決するための手段】
【０００４】  本考案は、点光源である「電球光源回転灯」に対し、主として面光源である高輝度ＬＥＤを用い、形状も長方形として広告看板トップサイン（看板上部に取り付ける回転灯）としても、また工事現場「注意喚起標識灯」として最適なアピール効果を発揮させるものである。
【考案を実施するための最良の形態】
【０００５】  図１・図２に示すように、従来型に比し長方形であり、広告看板・工事標識・建物壁面などに調和しやすい形状とする。また、光源１には高輝度ＬＥＤ等を帯状に配列使用し、反射鏡２は、長さ方向に１／２づつ互い違いに反射させる構造に作成する。【０００６】  反射鏡２は、全体として筒状に作成し、軸受け４によって回転できる構造とする。これをギアモーター３によって適切に減速回転させる機構とする。
本装置全体は、透明ガラス・樹脂などで形成するケーシングで保護する。【０００７】  上記構造からなる回転灯を点灯すれば、あたかも長さ方向に飛び火しながら明暗の揺らぎ（光りの呼吸作用）を伴った光源の点滅演出が可能となる。
【考案の効果】
【０００８】  本考案に係わる「飛び火効果機能付き高輝度回転灯」は、高輝度光源及び互い違い構造の反射鏡の考案によって、視感覚へのアプローチが格段に高くなる
【図面の簡単な説明】
【０００９】
【図１】本考案に係わる飛び火効果機能付き高輝度回転灯の平面図である。
【図２】本考案に係わる飛び火効果機能付き高輝度回転灯の正面図である。
【符号の説明】
【００１０】１・・・光源
２・・・反射鏡
３・・・ギアモーター
４・・・軸受け
(57)【要約】      （修正有）【課題】手袋部分における手の出し入れにおいて手間取ることなく、急ぎの時も素早く作業を行うことができるようにする。【解決手段】両端を手袋状にしたタオル本体１からカット部分２を切り取ることによって、手袋部所への手の出し入れを容易にした。【選択図】図１
0003109312.tif 000002
【実用新案登録請求の範囲】
【請求項１】
手の甲部分をカットして手の出し入れを容易にした件。
【考案の詳細な説明】
【技術分野】
【０００１】本考案は手袋部分の手の出し入れを容易にする為に手の甲部分をカットして従来のものより手の出し入れをより容易にしたものである。〔背景技術〕【０００２】従来は手の甲の部分をカットした両端を手袋状にしたタオルはなかった。〔考案が解決しようとする課題〕【０００３】両端を手袋状にしたタオルにおいて、使用上取りはずしが不便であり、この不便さが作業の妨げになるという問題点があった。〔課題を解決するための手段〕【０００４】両端を手袋状にしたタオルにおいて、容易に手の出し入れが出来る様に手袋本体からカット部分２を切り取ることによって手の出し入れがより容易に出来るようにした。〔考案の効果〕【０００５】両端を手袋状にしたタオルにおいて手の出し入れが容易になった事で、作業もしやすくなり咄嗟の時でもすぐ取りはずしが出来る。
【図面の簡単な説明】
【０００６】
【図１】タオル本体とカット部分を示した平面図である。
【図２】考案した両端を手袋状にしたタオルの、手袋部のカット部分を示す斜面図である
【符号の説明】
【０００７】１．タオル本体２．カット部分
【図１】
0003109312.tif 000003
【図２】
0003109312.tif 000004
【手続補正書】
【提出日】平成16年12月24日(2004.12.24)
【手続補正１】
【補正対象書類名】実用新案登録請求の範囲
【補正対象項目名】全文
【補正方法】変更
【補正の内容】
【実用新案登録請求の範囲】
【請求項１】
手の甲部分をカットして手の出し入れを容易にした両端を手袋状にしたタオル。
(57)【要約】      （修正有）【課題】従来の一輪挿しは、花と一輪挿しの大きさの関係等で、花との組み合わせに制限が生じる場合があり、また、花を自由にレイアウトすることも容易ではなく、容器の形状も、その一輪挿しに限定された。本考案は、特に小さい花から、やや大きめの花まで適応し、レイアウトが可能で、様々な容器を利用することができる、水に浮く一輪挿しを提供する。【解決手段】水に浮く物体１と、切れ目３を設けた弾性体２を分割できるように組み合わせ、弾性体の切れ目、分割部に弾力を利用して花５を挟むことにより、特に小さい花でも茎をいためずに花を固定することができ、花をレイアウトすることも容易になり、水を入れた他の様々な容器に入れて浮かせることができる、水に浮く一輪挿しである。【選択図】図３
0003109311.tif 000002
【実用新案登録請求の範囲】
【請求項１】
水に浮く物体と、切れ目を設けた弾性体を分割できるように組み合わせ、切れ目、分割部に花を挟み固定し、水を入れた他の容器に入れて浮かせることを特徴とした水に浮く一輪挿し。
【請求項２】
水に浮く物体と、弾性体を分割できるように組み合わせ、その分割部に花を挟み固定し、水を入れた他の容器に入れて浮かせることを特徴とした水に浮く一輪挿し。
【考案の詳細な説明】
【技術分野】
【０００１】  本考案は、花、植物等を挟んで固定し、水を入れた他の容器に入れて浮かせるための、水に浮く一輪挿しに関するものである。
【背景技術】
【０００２】  従来より、一輪挿しには、ガラス製や陶器製等で、口が細く小さい器の物や、竹筒や試験管のような容器を他のもので支えたもの等がある。
【考案の開示】
【考案が解決しようとする課題】
【０００３】  従来の多くの一輪挿しは、ある程度の花の大きさや茎の長さが必要で、小さい花や短い茎の場合は、一輪挿しの中に埋もれてしまい、逆に、小さな一輪挿しでは、やや大きめの花になると安定性に欠け、花と一輪挿しの組み合わせに制限が生じた。また、花を差し入れる状態で固定されていないので、花を自由にレイアウトすることも容易ではなく、容器の形状も、その一輪挿しに限定された。本考案は、特に小さい花から、やや大きめの花まで適応し、花のレイアウトが可能で、様々な容器を利用することができる、水に浮く一輪挿しを提供することを課題とした。
【課題を解決するための手段】
【０００４】  水に浮く物体と、切れ目を設けた弾性体を分割できるように組み合わせ、弾性体の切れ目、分割部に弾力を利用して花を挟み固定し、水を入れた他の容器に入れて浮かせることを特徴とした水に浮く一輪挿しである。
【考案の効果】
【０００５】  弾性体の切れ目や分割部に、弾力を利用して花を挟むことにより、特に小さい花でも茎をいためずに花を固定することができ、花の大小、茎の長短への制限は大幅に緩和され、花をレイアウトすることも容易になる。また、水に沈む部分の茎を短く切ることで、皿のような浅い器にも少しの水で浮かせることができ、容器をいろいろ変えたり、池や風呂のような広いところでも浮かせて楽しむことができる。
【考案を実施するための最良の形態】
【０００６】  本考案は図１のように、水に浮く物体（１）と、切れ目（３）を設けた弾性体（２）が分割部（４）によって分割できるように組み合わせてある。これを使用するときは、図２のように弾性体（２）を分割し、切れ目（３）に花（５）を挟み固定し，水に浮く物体（１）と組み合わせて図３のように、水を入れた他の容器（例；ガラスコップ（６））に入れて浮かせる。【０００７】  花をたくさん飾りたい場合や、花の位置に変化を付けたい場合、または、請求項２の場合は、弾性体（２）をずらしたり、縮めたりして、水に浮く物体（１）との分割部（４）の間に隙間を作り、そこに花を差込み弾性体（２）を戻し、花を固定し、水を入れた他の容器に入れて浮かせる。【０００８】  図４は、水に浮く物体を分割できるようにしたもので、それぞれの色を変えることでデザインに変化をもたせることができ、小さい容器を利用するときは外側部分（斜線部）を外して対応することができる。【０００９】  図１〜図４は一例であり、一個又は一組の一輪挿しの中で、水に浮く物体（例：エチレンフォーム）と弾性体（例：ウレタンフォーム）の分割の数、形状、材質、色等、また、弾性体に設ける切れ目の数、形状等は自由である。
【図面の簡単な説明】
【００１０】
【図１】    本考案の外観例を表す透視斜視図。
【図２】    本考案の弾性体を分割し、切れ目に花を挟んで固定した外観例を表す透視斜視図。
【図３】    本考案の使用例（ガラスコップに入れた場合）を表す斜視図。
【図４】    本考案の水に浮く物体に分割部を設け、デザインに変化をもたせ、外側部分（斜線部）を外して小さくし、容器の大小に対応する例を表す透視斜視図。
【符号の説明】
【００１１】    １  水に浮く物体
２  弾性体
３  切れ目
４  分割部
５  花
６  ガラスコップ
【図１】
0003109311.tif 000003
【図２】
0003109311.tif 000004
【図３】
0003109311.tif 000005
【図４】
0003109311.tif 000006